(57)【要約】【課題】被計量物が滞留した場合や熟練していない作業者が作業を行うような場合でも、計量速度を確保して、半自動式組合せ秤を運転できるようする。【解決手段】被計量物が滞留したり、作業に不慣れなために、被計量物の投入に要する時間が長くかかるような場合には、組み合わせ演算を開始するのに必要な被計量物の計量が完了している計量ホッパの計量室数の最小数である最小有効計量室数を減らし、許容重量範囲内の組み合わせが早く得られるようにして、計量速度を確保する。【選択図】図７
2011080895.tif 000002
【特許請求の範囲】
【請求項１】
被計量物の投入を人手によって行うものであって、前記被計量物が供給される複数の計量部の内、組み合わせ演算に有効な計量部の数が、組み合わせ演算を開始するのに必要な最小の前記有効な計量部の数である最小有効計量部数以上であるときに、前記有効な計量部の計量値を用いて組み合わせ演算を行う半自動式の組み合わせ秤であって、
投入前の前記被計量物の滞留状態を検出する滞留状態検出手段と、
前記滞留状態検出手段によって検出される滞留状態に基づいて、前記最小有効  計量部数を変更する変更手段と、
を具備したことを特徴とする組み合わせ秤。
【請求項２】
被計量物の投入を人手によって行うものであって、前記被計量物が供給される複数の計量部の内、組み合わせ演算に有効な計量部の数が、組み合わせ演算を開始するのに必要な最小の前記有効な計量部の数である最小有効計量部数以上であるときに、前記有効な計量部の計量値を用いて組み合わせ演算を行う半自動式の組み合わせ秤であって、
前記有効な計量部の数が、前記最小有効計量部数未満であるために、前記組み合わせ演算が行われない回数を計数する計数手段と、
前記計数手段の計数値に基づいて、前記最小有効計量部数を変更する変更手段と、
を具備したことを特徴とする組み合わせ秤。
【請求項３】
一定時間間隔の組み合わせ演算のタイミングで、前記有効な計量部の数が、前記最小有効計量部数以上であるときに、前記組み合わせ演算を行うものであって、
前記変更手段は、前記滞留状態検出手段によって滞留状態が検出されると、前記最小有効計量部数を、該最小有効計量部数から少なくとも１を減じた数値に変更し、滞留状態が検出されなくなると、変更した数値を元の数値に戻す請求項１に記載の組み合わせ秤。
【請求項４】
一定時間間隔の組み合わせ演算のタイミングで、前記有効な計量部の数が、前記最小有効計量部数以上であるときに、前記組み合わせ演算を行うものであって、
前記計数手段は、前記組み合わせ演算のタイミングで、前記有効な計量部の数が、前記最小有効計量部数未満であるために、前記組み合わせ演算が行われない回数を計数するものであって、
前記変更手段は、前記計数手段の計数値が、予め設定された設定値以上になったときには、前記最小有効計量部数を、該最小有効計量部数から少なくとも１を減じた数値に変更し、前記有効な計量部の数が、前記変更した最小有効計量部数以上となって組み合わせ演算が行われる回数が予め設定された回数以上になったときには、前記変更した最小有効計量部数を、元の数値に戻す請求項２に記載の組み合わせ秤。
【請求項５】
前記変更手段は、運転中に各計量部で得られる被計量物の重量値の分布データに基づいて、組み合わせ演算の成立率のシミュレーションを行って、その結果に基づいて、前記最小有効計量部数から減じる数値を決定する請求項３または４に記載の組み合わせ秤。
【発明の詳細な説明】
【技術分野】
【０００１】
本発明は、組み合わせ秤に関し、更に詳細には、被計量物の投入を作業者の手によって行う半自動式の組み合わせ秤に関する。
【背景技術】
【０００２】
半自動式の組合せ秤では、人手で被計量物を組合せ秤に投入するので、単体重量が比較的大きく不定形な被計量物や機械によるハンドリングが難しい被計量物、例えば、鶏肉（ブロイラー）などの生肉やイカ、タコなどの魚介類を取り扱う上で好適である。
【０００３】
図９および図１０は、特許文献１に記載の従来例の半自動式組み合わせ秤の側面図および平面図である。
【０００４】
この組合せ秤は、本体フレーム５０と、その上部に設けた天板５１とを有している。この天板５１には、被計量物を投入する複数の投入口５２1〜５２7が設けられている。本体フレーム５０内には、各投入口５２1〜５２7の下方に位置するように、複数の供給ホッパ５３1〜５３7が設けられている。各供給ホッパ５３1〜５３7は、それぞれ個別に開閉可能な被計量物排出用の、図上左右一対のゲート５４1ａ〜５４7ａ；ゲート５４1ｂ〜５４7ｂを備えており、不図示のエアシリンダによって開閉される。
【０００５】
各供給ホッパ５３1〜５３7の下方には、各計量ホッパ５５1〜５５7がそれぞれ設けられており、各計量ホッパ５５1〜５５7は、本体フレーム５０の内部に設けられている各ロードセル５６1〜５６7に連結されると共に、区画壁５７によってそれぞれ左右二つの計量室５８1ａ〜５８7ａ，５８1ｂ〜５８7ｂに区画されている。これら各計量室５８1ａ〜５８7ａ，５８1ｂ〜５８7ｂには、その上方の供給ホッパ５３1〜５３7の左右一対のゲート５４1ａ〜５４7ａ，５４1ｂ〜５４7ｂが開かれたときに、被計量物が供給される。例えば、供給ホッパ５３1〜５３7の左側のゲート５４1ａ〜５４7ａが開かれると、計量ホッパ５５1〜５５7の左側の計量室５８1ａ〜５８7ａに被計量物が供給され、同様に供給ホッパ５３1〜５３7の右側のゲート５４1ｂ〜５４7ｂが開かれると、計量ホッパ５５1〜５５7の右側の計量室５８1ｂ〜５８7ｂに被計量物が供給される。左右のゲート５４1ａ〜５４7ａ，５４1ｂ〜５４7ｂは、左右のどちらかが開かれるので、供給ホッパ５３1〜５３7の左右どちらかの計量室５８1ａ〜５８7ａ，５８1ｂ〜５８7ｂに被計量物が供給される。
【０００６】
各ロードセル５６1〜５６7は、計量ホッパ５５1〜５５7内の被計量物の重量を検出するものであるが、上述のように、被計量物は、計量ホッパ５５1〜５５7の左右の計量室５８1ａ〜５８7ａ，５８1ｂ〜５８7ｂのどちらかの計量室に供給されるので、各ロードセル５６1〜５６7によって検出される重量値の変化に基づいて、各計量室５８1ａ〜５８7ａ，５８1ｂ〜５８7ｂに供給される被計量物を計量することができる。
【０００７】
各計量ホッパ５５1〜５５7の各計量室５８1ａ〜５８7ａ，５８1ｂ〜５８7ｂは、個別に開閉可能な排出用のゲート５９1ａ〜５９7ａ，５９1ｂ〜５９7ｂを左右に備えており、これらゲート５９1ａ〜５９7ａ，５９1ｂ〜５９7ｂは、不図示のエアシリンダによって開閉される。これらゲート５９1ａ〜５９7ａ，５９1ｂ〜５９7ｂを開くことによって、各計量ホッパ５５1〜５５7の各計量室５８1ａ〜５８7ａ，５８1ｂ〜５８7ｂから排出された被計量物は、本体フレーム５０内の下方に設けた搬送コンベア６０上に排出され、搬送コンベア６０によって不図示の包装機へ搬送されて包装される。
【０００８】
上述の各ゲート５４1ａ〜５４7ａ，５４1ｂ〜５４7；５９1ａ〜５９7ａ，５９1ｂ〜５９7ｂを開閉するエアシリンダの制御は、不図示のＣＰＵによって行われ、ＣＰＵは、供給ホッパ５３1〜５３7のゲート５４1ａ〜５４7ａ，５４1ｂ〜５４7ｂの開閉を制御して、被計量物が供給されていない未供給状態の計量ホッパ５５1〜５５7の各計量室５８1ａ〜５８7ａ，５８1ｂ〜５８7ｂに、被計量物を供給する。
【０００９】
また、ＣＰＵは、制御の１サイクルにおける組み合わせ演算のタイミング、すなわち、一定時間間隔の組み合わせ演算のタイミングで、被計量物が供給されてロードセル５６1〜５６7による計量が完了している計量ホッパ５５1〜５５7の計量室５８1ａ〜５８7ａ，５８1ｂ〜５８7ｂの数が、予め設定された所定数以上であるときには、組み合わせ演算を行い、予め設定された所定数未満であるときには、組み合わせ演算を行わないようにしている。
【００１０】
この組み合わせ演算では、計量された重量を種々に組み合わせ、組み合わせ合計重量が、目標重量に等しい、あるいは、目標重量に最も近い許容重量範囲内にある組み合わせを探し、組み合わせ合計重量が許容重量範囲にある組み合わせが存在すると、その組み合わせの計量室から被計量物を搬送コンベア６０上に排出する。
【００１１】
以上のような組み合わせ秤においては、組み合わせ演算のタイミングにおいて、組み合わせ演算を開始するのに必要な被計量物の計量が完了している計量室の数の最小数(以下「最小有効計量室数」ともいう)は、組合せ計量精度を確保するために重要である。目標組合せ重量に等しいあるいは最も目標組合せ重量に近い重量の組合せのものができるほど、組合せ計量されて排出される被計量物の目標重量との偏差は小さくなり、この偏差が小さいほど、組合せ精度は良く、歩留まりも良くなる。
【００１２】
組合せ演算を開始する前記最小有効計量室数が多いほど組合せ演算における組合せの数は、多くなり、確率論的に組合せ精度は良くなる。しかし、この最小有効計量室数をあまり多くすると、被計量物を収容して計量が完了している計量室の数(以下「有効計量室数」ともいう)が、前記最小有効計量室数に達するまでの時間が長くなって、組み合わせ演算のタイミングで有効計量室数が、最小有効計量室数に達せず、組み合わせ演算が行われない場合が生じることになり、結局、組み合わせ演算が行われる時間間隔が長くなって組み合わせ秤の運転能力(計量能力)が低下することになる。
【００１３】
このため、計量精度と運転能力との兼ね合いなどに基づいて、最小有効計量室数を決定し、予め組み合わせ秤に設定している。
【先行技術文献】
【特許文献】
【００１４】
【特許文献１】特許第２９２８３５１号公報
【発明の概要】
【発明が解決しようとする課題】
【００１５】
上述のように半自動式組合せ秤では、鮮度が重要視される鶏肉等の被計量物が、上流側の解体ラインから一定量ずつ定期的に搬送されてきて、半自動式組合せ秤の天板上に蓄積される場合があり、作業者は、天板上の被計量物を掴んで供給ホッパに投入する。
【００１６】
この半自動式組み合わせ秤の運転中において、例えば、下流側の包装機が、包装袋の補充や交換などで一時停止する場合、あるいは、半自動式組合せ秤の作業者が交代する場合などに、一時的にしろ、被計量物が半自動式組合せ秤の天板上に山積みとなって滞留することがある。
【００１７】
このような滞留が発生すると、熟練していない作業者の場合では、往々にして作業を慌てて、山積みの被計量物を少しでも早く処理しようとして、半自動式組合せ秤の供給ホッパに、投入量を考慮することなく大量投入してしまうことがある。このような投入が行われると、許容重量範囲内の組合せができにくくなるから、再組合せするために計量ホッパ内の被計量物を入れ替える等の処理が必要となり、結果として、被計量物がさらに山積みになるという悪循環が繰り返され、組合せ計量精度が低下し、計量速度も低下するといった事態が生じる。
【００１８】
また、被計量物が滞留していない場合であっても、作業者の不慣れや疲労などにより、被計量物が複数の供給ホッパに投入されるのに要する時間が長くかかるような場合、一定の時間間隔の組み合わせ演算のタイミングで、有効計量室数が最小有効計量室数に達しなくなって、組合せ演算が行われず、計量速度が低下してしまう場合がある。
【００１９】
このような計量速度の低下は、作業効率等の点から経済的損失を招き、また、被計量物が、鶏肉等の場合には、重要な鮮度が低下して商品価値を損なうことになる。
【００２０】
本発明は、上述のような課題を解決するために為されたものであって、被計量物の滞留や作業者の不慣れや疲労などに起因して計量速度が低下するのを可及的に防止することを目的とする。
【課題を解決するための手段】
【００２１】
上記目的を達成するために、本発明では、次のように構成している。
【００２２】
すなわち、本発明第１の組み合わせ秤は、被計量物の投入を人手によって行うものであって、前記被計量物が供給される複数の計量部の内、組み合わせ演算に有効な計量部の数が、組み合わせ演算を開始するのに必要な最小の前記有効な計量部の数である最小有効計量部数以上であるときに、前記有効な計量部の計量値を用いて組み合わせ演算を行う半自動式の組み合わせ秤であって、
投入前の前記被計量物の滞留状態を検出する滞留状態検出手段と、
前記滞留状態検出手段によって検出される前記滞留状態に基づいて、前記最小有効計量部数を変更する変更手段と、
を具備したことを特徴とするものである。
【００２３】
計量部は、供給される被計量物を計量できればよく、該計量部に供給される被計量物の重量を直接計量するものであってもよいし、あるいは、複数の計量部を組とし、この組を構成する計量部全体としての重量を直接計量し、各計量部に供給される被計量物の重量を、計量部全体としての重量変化に基づいて演算算出することによって間接的に計量するものであってもよい。
【００２４】
組み合わせ演算に有効な計量部とは、組み合わせ演算の対象として有効な計量部である。
【００２５】
最小有効計量部数とは、組み合わせ演算を開始するために必要な最小の有効な計量部の数をいう。
【００２６】
この最小有効計量部数は、計量精度および運転能力(計量能力)などを考慮して予め当該組み合わせ秤に設定されるのが好ましい。
【００２７】
滞留状態検出手段は、人手によって投入される前の被計量物の滞留状態を直接的あるいは間接的に検出できるものであればよく、例えば、投入前の被計量物の重量や被計量物の堆積高さなどに基づいて、被計量物の滞留状態を直接的に検出するものであってもよいし、あるいは、被計量物の投入間隔を計測し、被計量物が滞留しているときには、投入間隔が短くなり、被計量物が滞留していないときには、投入間隔が長くなることから間接的に滞留状態を検出してもよい。
【００２８】
直接的に滞留状態を検出する具体例としては、例えば、投入前の被計量物が堆積される領域における被計量物の重量を検出する重量センサ、被計量物の堆積高さを検出する光電センサ、距離センサやリミットスイッチ、あるいは、滞留状態を撮像する撮像カメラなどを用いてもよい。
【００２９】
本発明第１の組み合わせ秤によると、滞留状態検出手段によって、投入前の被計量物の滞留を検出したときには、変更手段によって最小有効計量部数を変更してその数値を減らすことができるので、変更前に比べて、組み合わせ演算を開始するのに必要な有効な計量部の数が少なくて済み、組み合わせ演算が早く開始され、許容重量範囲内の組み合わせが早く得られることになり、計量速度の低下を防止して被計量物の滞留を解消することができる。
【００３０】
本発明第２の組み合わせ秤は、被計量物の投入を人手によって行うものであって、前記被計量物が供給される複数の計量部の内、組み合わせ演算に有効な計量部の数が、組み合わせ演算を開始するのに必要な最小の前記有効な計量部の数である最小有効計量部数以上であるときに、前記有効な計量部の計量値を用いて組み合わせ演算を行う半自動式の組み合わせ秤であって、前記有効な計量部の数が、前記最小有効計量部数未満であるために、前記組み合わせ演算が行われない回数を計数する計数手段と、前記計数手段の計数値に基づいて、前記最小有効計量部数を変更する変更手段とを具備している。
【００３１】
本発明第２の組み合わせ秤によると、例えば、作業者の不慣れや疲労などのために、被計量物の投入に要する時間が長くかかり、被計量物が供給されて計量が完了している有効な計量部の数が少なく、最小有効計量部数未満であるために、組み合わせ演算が行われなかった場合には、その組み合わせ演算が行われなかった回数が、計数手段で計数され、この計数値に基づいて、変更手段では、最小有効計量部数を変更してその数値を減らすことができるので、組み合わせ演算を開始するのに必要な有効な計量部の数が少なくて済み、変更前に比べて、組み合わせ演算が早く開始され、許容重量範囲内の組み合わせが早く得られることになり、作業者の不慣れや疲労などによって計量速度が低下するのを防止することができる。
【００３２】
本発明第１の好ましい実施態様では、一定時間間隔の組み合わせ演算のタイミングで、前記有効な計量部の数が、前記最小有効計量部数以上であるときに、前記組み合わせ演算を行うものであって、前記変更手段は、前記滞留状態検出手段によって滞留状態が検出されると、前記最小有効計量部数を、該最小有効計量部数から少なくとも１を減じた数値に変更し、滞留状態が検出されなくなると、変更した数値を元の数値に戻すものである。
【００３３】
組み合わせ演算のタイミングは、制御の１サイクルにおける一定の時間間隔の組み合わせ演算のタイミングである。
【００３４】
最小有効計量部数から減じる数値は、予め当該組み合わせ秤に設定するようにしてもよい。
【００３５】
最小有効計量部数を、該最小有効計量部数から２以上を減じた数値に変更した場合に、元の最小有効計量部数に戻すときには、１を加算した数値にし、更に、１を加算した数値にするといったように、一気に元の最小有効計量部数に戻すのではなく、徐々に戻すようにしてもよい。
【００３６】
この実施態様によると、被計量物が滞留している状態では、運転の当初に予め設定されている最小有効計量部数を少ない数値に変更して組み合わせ演算を早く開始するが、最小有効計量部数を少ない数値に変更すると、計量精度が悪くなるので、被計量物の滞留が解消したときには、変更した数値を元の最小有効計量部数に戻すことによって計量精度を維持することができる。
【００３７】
本発明第２の好ましい実施態様では、一定時間間隔の組み合わせ演算のタイミングで、前記有効な計量部の数が、前記最小有効計量部数以上であるときに、前記組み合わせ演算を行うものであって、前記計数手段は、前記組み合わせ演算のタイミングで、前記有効な計量部の数が、前記最小有効計量部数未満であるために、前記組み合わせ演算が行われない回数を計数するものであって、  前記変更手段は、前記計数手段の計数値が、予め設定された設定値以上になったときには、前記最小有効計量部数を、該最小有効計量部数から少なくとも１を減じた数値に変更し、前記有効な計量部の数が、前記変更した最小有効計量部数以上となって組み合わせ演算が行われる回数が予め設定された回数以上になったときには、前記変更した最小有効計量部数を、元の数値に戻すものである。
【００３８】
最小有効計量部数から２以上減じた数値に変更した場合に、元の最小有効計量部数に戻すときには、例えば、まず、１を加算した数値にし、この数値で、組み合わせ演算が行われた回数が予め設定された回数以上になったときに、更に、１を加算した数値にし、この数値で、組み合わせ演算が行われた回数が予め設定された回数以上になったときに、更に１を加算するといったように、一気に元の最小有効計量部数に戻すのではなく、徐々に戻すようにしてもよい。
【００３９】
この実施態様によると、作業者の不慣れや疲労などによって被計量物の投入に要する時間が長くかかり、組み合わせ演算が行われない回数が重なると、運転当初に予め設定されている最小有効計量部数を少ない数値に変更して組み合わせ演算を早く開始するが、最小有効計量部数を少ない数値に変更すると、計量精度が悪くなるので、作業者が作業に慣れ、あるいは、疲労が回復したときには、変更した数値を元の最小有効計量部数に戻すことによって計量精度を維持することができる。
【００４０】
本発明第１または第２の別の好ましい実施態様では、前記変更手段は、運転中に各計量部で得られる被計量物の重量値の分布データに基づいて、組み合わせ演算の成立率のシミュレーションを行って、その結果に基づいて、前記最小有効計量部数から減じる数値を決定するようにしている。
【００４１】
この実施態様によると、計量部で計量される被計量物の実際の重量値の分布に基づいて、組み合わせ演算の成立率を確保できるように、最小有効計量部数から減じる適切な数値を決定することができる。
【発明の効果】
【００４２】
本発明によると、投入前の被計量物が滞留したり、作業者の不慣れなどの要因で被計量物の投入に要する時間が長くなっても、組み合わせ演算を開始するのに必要な最小の有効な計量部の数である最小有効計量部数を少なくし、組み合わせ演算を早く開始して許容重量範囲内の組み合わせを早く得られるようにするので、計量速度が低下するのを防止することができ、被計量物の滞留を解消し、あるいは、不慣れな作業者でも作業が容易になり、また、被計量物が鶏肉や魚介類等の場合に、その鮮度の低下を防ぐことができる。
【図面の簡単な説明】
【００４３】
【図１】図１は本発明の実施の形態における半自動式組合せ秤の平面図である。
【図２】図２は図１の半自動式組み合わせ秤の正面図である。
【図３】図３は図１の半自動式組み合わせ秤の側面図である。
【図４】図４は図２の半自動式組み合わせ秤を用いたラインを示す図である。
【図５】図５は図１の半自動式組み合わせ秤の制御系統を示すブロック図である。
【図６】図６は実施形態１の半自動式組み合わせ秤の制御処理を示すフローチャートである。
【図７】図７は図６の制御処理の詳細を示すフローチャートである。
【図８】図８は実施形態２の半自動式組み合わせ秤の制御処理を示すフローチャートである。
【図９】図９は従来例の半自動式組み合わせ秤の側面図である。
【図１０】図１０は図９の平面図である。
【発明を実施するための形態】
【００４４】
以下、図面によって本発明の実施の形態について詳細に説明する。
【００４５】
（実施形態１）
図１は、本発明の実施形態に係る半自動式の組合せ秤の平面図であり、図２はその正面図であり、図３はその側面図である。
【００４６】
この実施形態の半自動式組合せ秤１は、被計量物の組合せ計量を行う本体２と、当該秤１の運転制御用パラメータ、例えば、組み合わせ演算を開始するのに必要な最小有効計量室数、目標組み合わせ重量、許容上限値などの設定や作動状況の表示を行う操作設定表示部３と、本体２から排出される被計量物を搬送する搬送コンベア４とを備えている。
【００４７】
本体２は、図３に示すように、側面視において略コの字状の基台５を備えており、この基台５の上部には、略矩形状の天板６が構成されている。
【００４８】
この天板６の上面には、作業者が被計量物を掴んで投入するための複数の９個の投入口１２1〜１２9が、中央部に一列に並ぶように形成されている。
【００４９】
各投入口１２1〜１２9の下方には、それぞれに個別に対応して複数の供給ホッパ７1〜７9が配設され、基台５の側部には、図３に示すように、各供給ホッパ７1〜７9のそれぞれに個別に連結されるロードセルからなる複数の供給ホッパ用計量センサ８1〜８9が格納されている。
【００５０】
各供給ホッパ７1〜７9の下方には、それぞれに個別に対応して基台５に支持された複数の計量ホッパ９1〜９9が配設され、基台５の側部には、各計量ホッパ９1〜９9のそれぞれに個別に連結されるロードセルからなる複数の計量ホッパ用計量センサ１０1〜１０9が格納されている。
【００５１】
各計量ホッパ９1〜９9は、各供給ホッパ７1〜７9から供給される被計量物をそれぞれ収容して計量するための２個の独立した計量部としての計量室１１1ａ〜１１9ａ，１１1ｂ〜１１9ｂをそれぞれ備えている。基台５には、後述する制御回路(図示せず)が収納されている。
【００５２】
各供給ホッパ７1〜７9は、不図示のエアシリンダによって開閉駆動される２個の排出用のゲート１３1ａ〜１３9ａ，１３1ｂ〜１３9ｂをそれぞれ有している。これら２個のゲート１３1ａ〜１３9ａ，１３1ｂ〜１３9ｂはそれぞれ独立して開閉が可能であり、どちらか一方のゲート１３1ａ〜１３9ａ（１３1ｂ〜１３9ｂ）を開くことで、被計量物を計量ホッパ９1〜９9の一方の計量室１１1ａ〜１１9ａ（１１1ｂ〜１１9ｂ）に選択的に供給できるように構成されている。
【００５３】
計量ホッパ９1〜９9は、それぞれの計量室１１1ａ〜１１9ａ，１１1ｂ〜１１9ｂに、不図示のエアシリンダによって開閉駆動される２個の排出用のゲート２３1ａ〜２３9ａ，２３1ｂ〜２３9ｂを有している。
【００５４】
これら２個のゲート２３1ａ〜２３9ａ，２３1ｂ〜２３9はそれぞれ独立して開閉が可能であり、どちらか一方のゲート２３1ａ〜２３9ａ（２３1ｂ〜２３9）を開くことで、対応する一方の計量室１１1ａ〜１１9ａ（１１1ｂ〜１１9ｂ）から被計量物を選択的に排出できるように構成されている。
【００５５】
なお、両方のゲート２３1ａ〜２３9ａ，２３1ｂ〜２３9ｂを開けば、両側の計量室１１1ａ〜１１9ａ，１１1ｂ〜１１9ｂから被計量物が排出される。
【００５６】
この組合せ秤１が計量する被計量物は特に限定されないが、鶏肉（ブロイラー）等の生肉、イカやカツオ等の魚介類等、粘着性があり単重（１個あたりの重さ）が比較的大きい被計量物の計量に特に適している。
【００５７】
この実施形態では、鶏肉（ブロイラー）を解体して、各部位の肉片を許容重量範囲に真空包装する、図４に示される解体・計量・包装生産ラインに適用して説明する。図４において、図２に対応する部分には、同一の参照符号を付す。
【００５８】
上流側(図４の左側)の解体ラインから供給コンベア１４によって搬送されてきた鶏肉の肉片は、桟付きベルトで構成された供給コンベア１５によって上方へ搬送され、連結部材１６を経由して、この実施形態の半自動式の組合せ秤１の天板６上に搬送される。
【００５９】
搬送されて天板６上に堆積した肉片の量は、被計量物を検出する検出センサ１７によって検出される。この検出センサ１７は、例えば、天板６上に堆積した肉片との距離を検出する固定位置に設置されたセンサであり、堆積した肉片が山積みとなって、検出センサ１７との距離が一定以下になったときに、滞留しているとして検出出力を与えるものであって、被計量物の滞留状態を検出するものである。
【００６０】
天板６上の肉片は、作業者によって供給ホッパ７1〜７9に投入され、後述のようにして許容重量範囲内になるように計量された肉片の塊は、搬送コンベア４を介して払い出しコンベヤ１８に移送され、この払い出しコンベア１８によって、上方へ搬送され、ファンネル１９を経由して包装機２０に投入されて真空包装され、鮮度を保つため冷蔵庫に収納される。
【００６１】
図５は、この実施形態の制御系統を示すブロック図であり、上述の図１〜図４に対応する部分には、同一の参照符号を付す。
【００６２】
この実施形態の組み合わせ秤１は、制御回路２２を備えており、この制御回路２２は、各部を制御するとともに、後述のように最小有効計量部数としての最小有効計量室数を変更するＣＰＵ部２４と、制御プログラムが格納されているとともに、計量値などが格納されるメモリ部２５と、供給ホッパ７1〜７9の各ゲート１３1ａ〜１３9ａ，１３1ｂ〜１３9ｂを開閉する供給ホッパ用ゲート駆動回路部２６と、計量ホッパ９1〜９9の各ゲート２３1ａ〜２３9ａ，２３1ｂ〜２３9ｂを開閉する計量ホッパ用ゲート駆動回路部２７と、各供給ホッパ用計量センサ８1〜８9からのアナログ信号をデジタル信号に変換する第１Ａ／Ｄ変換回路部２８と、各計量ホッパ用計量センサ１０1〜１０9からのアナログ信号をデジタル信号に変換する第２Ａ／Ｄ変換部２９と、検出センサ１７からのアナログ信号をデジタル信号に変換する第３Ａ／Ｄ変換回路部３０と、搬送コンベア４を駆動するコンベア駆動回路部３１と、包装機２０に接続されたＩ／Ｏ回路部３２と、を有している。
【００６３】
第１，第２Ａ／Ｄ変換部２８，２９からのデジタル信号は、ＣＰＵ部２４において、計量値に変換される。
【００６４】
ＣＰＵ部２４は、前記計量値により計量ホッパ９1〜９9に被計量物が入っているかどうか検知し、被計量物が入っていなければ、供給ホッパ７1〜７9の左右どちらかの供給ホッパ用のゲート１３1ａ〜１３9ａ，１３1ｂ〜１３9ｂを開いて、被計量物を供給ホッパ７1〜７9から計量ホッパ９1〜９9に落下させる。計量ホッパ９1〜９9に落下した被計量物の重量は、ＣＰＵ部２４によりメモリ部２５に記憶される。
【００６５】
例えば、供給ホッパ７1の右側のゲート１３1ｂ〜１３9ｂを開いて被計量物を落下させて計量すると、計量ホッパ９1の右側の計量室１１1ｂ〜１１9ｂの重量値としてメモリ部２５に記憶される。計量ホッパ９1の右側の計量室１１1ｂ〜１１9ｂの重量値が記憶されると、次のサイクルで、供給ホッパ７1の左側のゲート１３1ａ〜１３9ａを開いて被計量物を落下させて計量した場合、得られた計量値から記憶されている計量ホッパ９1の右側の計量室１１1ｂ〜１１9ｂの重量値を減算すると、計量ホッパ９1の左側の計量室１１1ａ〜１１9ａの重量値が得られる。
【００６６】
２分割された計量ホッパ９1〜９9の計量室１１1ａ〜１１9ａ，１１1ｂ〜１１9ｂに対応して左右に計量ホッパ用のゲート２３1ａ〜２３9ａ，２３1ｂ〜２３9ｂがあるため、別個に独立して組合せ演算に参加することができる。つまり、計量ホッパの数が９個の場合、倍である１８連の組合せ演算を行うことができる。
【００６７】
ＣＰＵ部２４は、一定の時間間隔の組み合わせ演算のタイミング時に、被計量物が供給されて計量が完了した組み合わせ演算に有効な計量ホッパ９1〜９9の計量室１１1ａ〜１１9ａ，１１1ｂ〜１１9ｂの数である有効計量室数が、予め操作設定表示部３に設定されている組み合わせ演算を開始するのに必要な最小の有効な計量室の数である最小有効計量室数以上であるときには、組み合わせ演算を行う。
【００６８】
この組み合わせ演算では、計量された重量を種々に組み合わせ、組み合わせ合計重量が、目標重量に等しい、あるいは、目標重量に最も近い許容重量範囲内にある組み合わせを探し、組み合わせ合計重量が許容重量範囲にある組み合わせがあると、操作設定表示部３にその組合せ結果を表示する。
【００６９】
包装機２０からの排出命令信号は、Ｉ／Ｏ回路部３２より入力され、上記の組み合わせ演算によって、許容重量範囲内の組合せがあると、この排出命令信号の入力を待って、前記組合せ演算に参加している計量ホッパ９1〜９9の計量室１１1ａ〜１１9ａ，１１1ｂ〜１１9ｂに対応するゲート２３1ａ〜２３9ａ，２３1ｂ〜２３9ｂを、計量ホッパ用ゲート駆動回路部２７により駆動して、被計量物を搬送コンベヤ４に落下させる。
【００７０】
搬送コンベヤ４はコンベヤ駆動回路部３１により駆動され、被計量物は搬送コンベヤ４によって移送されて半自動式組合せ秤１の後段に設置されている払い出しコンベア１８等によって包装機２０に移送される。
【００７１】
そして本実施の形態においては、半自動式組み合わせ秤１の運転中において、例えば、包装機２０が包装袋の補充や交換などで一時停止する場合、あるいは、作業者が交代する場合などに、一時的に、被計量物が半自動式組合せ秤１の天板６上に山積みになって滞留する場合の課題を解消する制御を行う。
【００７２】
すなわち、上記のごとく被計量物が山積みになった滞留が発生すると、作業に熟練していない作業者では、場合によっては、供給ホッパ７1〜７9に、投入量を考慮することなく被計量物を投入してしまい、目標重量に等しいあるいは許容重量範囲内の組合せができにくくなり、結果として、再組合せするために計量ホッパ９1〜９9の計量室１１1ａ〜１１9ａ，１１1ｂ〜１１9ｂ内の被計量物を入れ替える等の処理が必要となる。このような状況では、更に、被計量物が山積みされてしまうという悪循環が繰り返されてしまう。
【００７３】
そこで本実施の形態では、このような事態の発生を解消すべく、図６以下を参照して説明する制御が行われるようにしている。
【００７４】
図６は、この実施形態の制御処理を示すフローチャートである。半自動式組合せ秤１では、作業者が被計量物を供給ホッパ７1〜７9に投入する。
【００７５】
ステップＳ１において供給ホッパ７1〜７9は、その下方の計量ホッパ９1〜９9の計量室１１1ａ〜１１9ａ，１１1ｂ〜１１9ｂの内、被計量物が未供給状態の計量室１１1ａ〜１１9ａ，１１1ｂ〜１１9ｂに被計量物が供給されるように制御される。
【００７６】
次に、ステップＳ２において被計量物が供給された計量ホッパ９1〜９9に対応する計量ホッパ用計量センサ１０1〜１０9によって計量が行われる。
【００７７】
次いでステップＳ３において組み合わせ演算を開始するのに必要な最小有効計量室数の制御が行われる。この制御に関しての詳細は後述する。
【００７８】
ステップＳ４においては、組み合わせ演算のタイミングで、被計量物が供給されて計量が完了している計量ホッパ９1〜９9の計量室１１1ａ〜１１9ａ，１１1ｂ〜１１9ｂの数である有効計量室数が、最小有効計量室数以上であるかどうかの判断が行われる。ステップＳ４において、最小有効計量室数未満であるときには、前記ステップＳ１に戻り、有効計量室数が、最小有効計量室数以上であるときには、ステップＳ５に移行する。
【００７９】
ステップＳ５において、許容重量範囲内の組合せを探す組合せ演算が行われる。ステップＳ６においてはステップＳ５での組合せ演算の結果、許容重量範囲内の組合せがあると判断されると、ステップＳ７に移行する。ステップＳ７において包装機２０からの排出命令信号があると判断されるとステップＳ８に移行して排出制御が行われる。この排出制御は、組合せ演算で選択された計量ホッパ９1〜９9の計量室１１1ａ〜１１9ａ，１１1ｂ〜１１9ｂから被計量物を搬送コンベア４上に排出し、ステップＳ１に戻る。搬送コンベア４上に排出された被計量物は、包装機２０へ搬送されて包装される。
【００８０】
ステップＳ６において、許容重量範囲内の組合せがないと判断されると、ステップＳ９に移行する。ステップＳ９においては被計量物の入れ替えのための排出制御が行われる。この排出制御においては、被計量物を入れ替える計量ホッパ９1〜９9の計量室１１1ａ〜１１9ａ，１１1ｂが選択され、選択された計量室から被計量物が排出されてステップＳ１に戻り運転が継続される。排出された被計量物は、包装機２０とは逆方向に回転する搬送コンベア４によって強制排出される。
【００８１】
図７は、図６のフローチャートのステップＳ３の詳細を示す。ステップＳ３０１においては、被計量物が半自動式組合せ秤１で滞留しているかどうかの判断が行われる。この判断は、上述の図４および図５に示される検出センサ１７の出力に基づいて行われる。すなわち、検出センサ１７は、天板６上に搬送されて堆積される鶏肉の肉片の堆積高さを、固定位置に設置した検出ンサ１７との距離として検出することにより行われるものであり、肉片の堆積高さが予め定めた高さ以上になると、滞留しているとして、検出出力を与えるように構成されている。
【００８２】
この検出センサ１４の出力に基づいて、滞留していると判断されると、ステップＳ３０３に移る。ステップＳ３０３においては、滞留処理中であることを示す滞留処理中フラグがＯＮになっているか否かの判断が行われる。ステップＳ３０３で滞留処理中フラグがＯＮになっていると判断されると、滞留処理が行われているとして終了し、滞留処理中フラグがＯＮになっていないと判断されると、ステップＳ３０４に処理が移行する。
【００８３】
ステップＳ３０４においては、実計量速度と目標計量速度とが略等しいかどうかの判断が行われる。略等しいと判断されると、ステップＳ３０５で第１の警報処理が行われる。ここで実計量速度とは、実際の計量の速度であり、例えば、許容重量範囲内の被計量物が搬送コンベア４上に排出される時間間隔の平均値である。目標計量速度とは、操作設定表示部３に設定される目標の計量速度であり、例えば、許容重量範囲内の被計量物が搬送コンベア４上に排出される時間間隔の目標値として設定することができる。
【００８４】
実計量速度が、目標計量速度に略等しいにも拘らず、被計量物が滞留しているということは、被計量物の半自動式組合せ秤１への供給が多すぎるためであり、かかる場合には、この実施形態による制御処理である最小有効計量室数を少なくしても、滞留を解消することはできない。したがって、この場合には、第１の警報処理として、半自動式組合せ秤１への被計量物の供給が多すぎる旨のメッセージを操作設定表示部３に表示する。これによって、作業者は、上流側の解体ラインから搬送されてくる被計量物の供給量を少なくするといった適宜の措置を取ることができる。
【００８５】
また、包装機２０からの排出命令信号が入力されていないと、搬送コンベア４上に、被計量物を排出できず、被計量物が滞留するので、ステップＳ３０６では、包装機２０からの排出命令信号の入力の有無が判断され、排出命令信号が入力されていないと判断されたときは、ステップＳ３０７で第２の警報処理が行われる。第２の警報処理として、包装機２０の状態をチェックすべきである旨のメッセージを、操作設定表示部３に表示する。これによって、作業者は、下流側の包装機２０の状態をチェックするといった適宜の措置を取ることができる。
【００８６】
また、被計量物の単重値範囲によっては、単重値が揃いすぎているために、許容重量範囲内の組合せができない場合がある。そこで、許容重量範囲内の組合せができやすいかどうかを、組合せ成立率として把握し、ステップＳ３０８において、組合せ成立率が所定の成立率より小さい場合は、ステップＳ３０９で第３の警報処理が行われる。
【００８７】
組み合わせ成立率とは、組み合わせ演算を行った総数の内、許容重量範囲内の組み合わせが得られた割合をいい、具体的には、組み合わせが成立した回数を、組み合わせが成立した回数と組み合わせが成立しなかった回数との和で除した値である。第３の警報処理として、被計量物の単重値範囲によって許容重量範囲内の組合せができにくい状態である旨のメッセージを、操作設定表示部３に表示する。これによって、作業者は、被計量物である鶏肉の肉片を切断して単重値にばらつきを持たせたり、許容上限値を高く設定し直して許容重量範囲を広くするといった適宜の措置を取ることができる。
【００８８】
ステップＳ３１０の以下では、組み合わせ演算を開始するのに必要な被計量物の計量が完了している計量ホッパ９1〜９9の計量室１１1ａ〜１１9ａ，１１1ｂ〜１１9ｂの数の最小数である最小有効計量室数を減らす処理が行われる。まずステップＳ３１０では、予め設定されている最小有効計量室数から１個減らして、ステップＳ３１１で組合せシミュレーションが行われる。
【００８９】
組合せシミュレーションでは、運転中に得られた計量ホッパ９1〜９9の各計量室１１1ａ〜１１9ａ，１１1ｂ〜１１9ｂの計量値である単重値を元に、その平均値と分散値とを求め、被計量物の単重値が正規分布していることから、正規乱数によって模擬計量値を発生させて、最小有効計量室数を１個減らしたとしたときのシミュレーション上の組合せ演算を行い、組み合わせ成立率を求めるものであり、かかる組合せシミュレーションの手法は、公知である。
【００９０】
ステップＳ３１２において、組み合わせシミュレーションによって得られた組合せ成立率が、所定率以上であると判断されると、ステップＳ３１０に処理が戻って、更に、最小有効計量室数を１個減らして組合せシミュレーションが行われる。
【００９１】
ステップＳ３１２において組合せ成立率が、所定率より少なくなると判断されると、ステップＳ３１３で最小有効計量室数が１個増やされて、最小有効計量室数の変更処理が終了される。したがって、所定率以上の組み合わせ成立率が得られるという条件の下で、最小有効計量室数を減らすことができる。
【００９２】
そしてステップＳ３１４においては、滞留処理中であることを示す滞留処理中フラグがＯＮにされることで処理が終了し、上述の図６のステップＳ４に処理が移行する。
【００９３】
したがって、被計量物が滞留している場合には、図６のステップ４では、被計量物が供給されて計量が完了している計量ホッパ９1〜９9の計量室１１1ａ〜１１9ａ，１１1ｂ〜１１9ｂの数である有効計量室数が、ステップＳ３１０において、予め設定されていた最小有効計量室数から減らされた変更後の最小有効計量室数以上であるか否かの判断が行われ、有効計量室数が、変更後の最小有効計量室数以上であると判断されたときに、組み合わせ演算が行われることになる。
【００９４】
これによって、被計量物が供給されて計量が完了している計量ホッパ９1〜９9の計量室１１1ａ〜１１9ａ，１１1ｂ〜１１9ｂの数である有効計量室数が、予め設定されていた最小有効計量室数より少なくても組み合わせ演算が行われることになって、最小有効計量室数の変更前に比べて、許容重量範囲内の組み合わせが早く得られることになり、計量速度が低下するのを防止することが可能となる。
【００９５】
なお、被計量物の滞留が解消し、ステップＳ３０１において、滞留していないと判断されると、ステップＳ３０２で、滞留処理中フラグがＯＦＦにされて、最小有効計量室数は、予め設定されていた元の最小有効計量室数に戻されて処理が終了する。
【００９６】
被計量物が滞留している場合に、最小有効計量室数が、予め設定されている最小有効計量室数よりも少なくされると、早く組み合わせ演算が行われるので、計量速度が低下するのを防止することができるけれども、計量精度が悪くなる。そこで、ステップＳ３０２においては、被計量物の滞留が解消されたときには、変更した最小有効計量室数を元の最小有効計量室数に戻し、計量精度を元の精度に戻すようにしている。
【００９７】
以上のように、半自動式組み合わせ秤１の運転中において、被計量物が半自動式組合せ秤１の天板６上に山積みになって滞留したような場合には、最小有効計量室数を、予め設定されている最小有効計量室数から減らして、許容重量範囲内の組み合わせが早く得られるようにして計量速度が低下するのを防止できるので、熟練していない作業者であっても、被計量物の計量処理を早くして滞留を解消することが可能となり、鶏肉等の被計量物の鮮度の低下を防ぐことができる。
【００９８】
なお、本発明の他の実施形態として、上述の第１〜第３の警報処理を行なうためのステップＳ３０４からＳ３０９は、省略してもよい。
【００９９】
（実施形態２）
上述の実施形態では、被計量物が滞留している場合には、最小有効計量室数を減らしたけれども、この実施形態では、滞留の有無に関わらず、有効計量室数が、最小有効計量室数未満となる回数が、予め設定した「排出待ち回数」以上継続したとき、すなわち、作業者の不慣れや疲労などに起因して、被計量物の投入に要する時間が長くなって、一定時間間隔の組合せ演算のタイミングで組み合わせ演算が行えない回数が重なって排出待ち回数に達したときには、最小有効計量室数を、予め設定した「制御値」だけ減らすものである。
【０１００】
そして、有効計量室数が、この減らした最小有効計量室数以上となって組み合わせ演算を行った回数が、予め設定した「制御回数」になったときには、変更した最小有効計量室数を、予め設定されていた元の最小有効計量室数に戻すものである。
【０１０１】
図８は、この実施形態の制御処理を示すフローチャートである。
【０１０２】
まず、ステップＳ２１では、有効計量室数が、運転当初に予め設定されている最小有効計量室数以上存在しないために、組合せ演算が行えない回数が「排出待ち回数」として設定され、更に、当初設定されている最小有効計量室数から減じる数値が、「制御値」として設定され、この制御値を減じた変更後の最小有効計量室数で制御を行う回数が、「制御回数」として設定される。
【０１０３】
作業者によって被計量物が供給ホッパ７1〜７9に投入され、ステップＳ２２では、供給ホッパ７1〜７9は、その下方の計量ホッパ９1〜９9の計量室１１1ａ〜１１9ａ，１１1ｂ〜１１9ｂの内、空の計量室１１1ａ〜１１9ａ，１１1ｂ〜１１9ｂに被計量物が供給されるように制御され、被計量物が供給された計量ホッパ９1〜９9に対応する計量ホッパ用計量センサ１０1〜１０9によって計量される（ステップＳ２３）。
【０１０４】
そして、ステップＳ２４で組合せ演算を行うタイミングであるか否かが判断され、組み合わせ演算のタイミングであると判断されると、ステップＳ２５に進む。ステップＳ２５では、被計量物の計量が完了した計量ホッパ９1〜９9の計量室１１1ａ〜１１9ａ，１１1ｂ〜１１9ｂの数である有効計量室数が、予め設定されている最小有効計量室数以上であるか否かが判断され、最小有効計量室数未満であると判断されたきには、ステップＳ３２に進み、最小有効計量室数の制御中であることを示す最小有効計量室数制御フラグがＯＮになっているかどうかが判断され、該フラグがＯＮになっていないと判断されたきには、ステップＳ３３に移る。
【０１０５】
ステップＳ３３では、有効計量室数が、最小有効計量室数未満であるために組み合わせ演算が行われなかった回数、すなわち、組合せ演算不成立回数を１つ増加させる。被計量物の投入が不十分であり、ステップＳ２１で設定した排出待ち回数の間、連続して有効計量室数が最小有効計量室数以上でないと、ステップＳ２２に戻る。
【０１０６】
以上の処理が繰り返され、ステップＳ３４において、排出待ち回数と不成立回数とが等しくなると、例えば、作業者の不慣れや疲労などに起因して被計量物の投入に要する時間が長くかかり、有効計量室数が最小有効計量室数未満となって組み合わせ演算が行われなかった回数が重なったとして、最小有効計量室数からステップＳ２１で設定した制御値を減算したものが、変更後の最小有効計量室数としてセットされる（ステップＳ３５）。
【０１０７】
更に、ステップＳ２１で設定した制御回数が制御カウンタにセットされ（ステップＳ３６）、最小有効計量室数制御フラグがＯＮされ（ステップＳ３７）、不成立回数がクリアされる（ステップＳ３８）。
【０１０８】
上記ステップＳ３５において、最小有効計量室数を制御値だけ少なくした後には、ステップＳ２５では、被計量物が供給されて計量が完了している計量ホッパ９1〜９9の計量室１１1ａ〜１１9ａ，１１1ｂ〜１１9ｂの数である有効計量室数が、当初の最小有効計量室数よりも少ない変更後の最小有効計量室数と比較されることになり、このステップＳ２５で有効計量室数が変更後の最小有効計量室数以上であると判断されると、最小有効計量室数制御フラグがＯＮしているか否かが判断され（ステップＳ２６）、ＯＮしていると判断されたきには、ステップＳ２７で制御カウンタを１つ減らす処理が繰り返されて制御カウンタが０になるまで、すなわち、制御回数の数だけ変更後の最小有効計量室数で組合せ演算（ステップＳ３９）が行われる。制御カウンタが０になると、ステップＳ２９で最小有効計量室数制御フラグがＯＦＦにされて、変更した最小有効計量室数は、予め設定されていた元の最小有効計量室数に戻される。なお、ステップＳ２５で、有効計量室数が最小有効計量室数以上になり、ステップＳ２６において、最小有効計量室数制御フラグがＯＮしていないときには、ステップＳ３１で不成立回数はクリアされ、不成立回数フラグはリセットされる。
【０１０９】
以上のように、作業者の不慣れや疲労などに起因して被計量物の投入に要する時間が長くかかり、有効計量室数が、運転当初に予め設定されていた最小有効計量室数未満となって組み合わせ演算が行われなかった回数が重なったときには、最小有効計量室数を変更して制御値だけ減らすので、最小有効計量室数の変更前に比べて、有効計量室数が少なくても組み合わせ演算が行われることになって、許容重量範囲内の組み合わせが早く得られることになり、計量速度が低下するのを防止することが可能となるので、不慣れな作業者でも作業が容易になる。
【０１１０】
また、変更後の最小有効計量室数で組み合わせ演算が行われる回数が、制御回数に達すると、変更した最小有効計量室数を、当初設定されていた元の最小有効計量室数に戻すので、計量精度を維持することができる。
【０１１１】
この実施形態では、当初の最小有効計量室数から減じる数値を、「制御値」として設定したけれども、本発明の他の実施形態として、上述の実施の形態１と同様に、組み合わせシミュレーションを行って減じる数値を決定してもよい。
【産業上の利用可能性】
【０１１２】
本発明は、半自動式の組み合わせ秤として有用であり、特に鮮度が重要な被計量物などの計量に有用である。
【符号の説明】
【０１１３】
１  半自動式の組み合わせ秤
３  操作設定表示部
４  搬送コンベア
６  天板
７1〜７9  供給ホッパ
８1〜８9  供給ホッパ用計量センサ
９1〜９9  計量ホッパ
１０1〜１０9  計量ホッパ用計量センサ
１１1ａ〜１１9ａ，１１１ｂ〜１１９ｂ  計量室
１３1ａ〜１３9ａ，１３1ｂ〜１３9ｂ  供給ホッパの排出用ゲート
２３1ａ〜２３9ａ，２３1ｂ〜２３9ｂ   計量ホッパの排出用出ゲート
１７  検出センサ
２０  包装機
２２  制御回路
２４  ＣＰＵ部
２５  メモリ部
【図１】
2011080895.tif 000003
【図２】
2011080895.tif 000004
【図３】
2011080895.tif 000005
【図４】
2011080895.tif 000006
【図５】
2011080895.tif 000007
【図６】
2011080895.tif 000008
【図７】
2011080895.tif 000009
【図８】
2011080895.tif 000010
【図９】
2011080895.tif 000011
【図１０】
2011080895.tif 000012